(57)【要約】      （修正有）【課題】電柱に装柱する作業を容易にすると共に、電柱に対して保持力が得られやすく、適用径の範囲が広い電柱バンドを提供する。【解決手段】電柱１に装柱する作業を容易にするために、電柱１の外周の直径方向に一対のバンド片１２を対向配置させて、その一対のバンド片１２相互を緊締ボルト１３，緊締ナット１３ａで連結して電柱１に抱持固定する２片式の電柱バンド２としする。そして、電柱１に対して保持力が得られやすく、適用径の範囲を広くするために、湾曲部１２ａの頂部は、両端側よりも曲率が小さく，または直線状に形成され、前記緊締受片１２ｂの突出方向は、一対のバンド片１２の対向配置方向に垂直な面方向から、前記湾曲部１２ａにおける湾曲方向に対して反対側に偏位して形成される。【選択図】図１
0003158901.tif 000002
【実用新案登録請求の範囲】
【請求項１】
電柱の外周の直径方向に一対のバンド片を対向配置させて、その一対のバンド片相互を緊締ボルト，緊締ナットで連結して電柱に抱持固定する２片式の電柱バンドであって、
前記電柱の外周面に遊嵌するように湾曲して形成された湾曲部と、
前記湾曲部の両端から電柱外方向に突出した緊締受片と、
前記緊締受片に穿設され、前記緊締ボルトを挿通する透孔と、を有する一対のバンド片を備え、
前記湾曲部の頂部は、前記透孔間を縦断する方向の断面形状において、両端側よりも曲率が小さく，または直線状に形成されたことを特徴とする電柱バンド。
【請求項２】
電柱の外周の直径方向に一対のバンド片を対向配置させて、その一対のバンド片相互を緊締ボルト，緊締ナットで連結して電柱に抱持固定する２片式の電柱バンドであって、
前記電柱の外周面に遊嵌するように湾曲して形成された湾曲部と、
前記湾曲部の両端から電柱外方向に突出した緊締受片と、
前記緊締受片に穿設され、前記緊締ボルトを挿通する透孔と、を有する一対のバンド片を備え、
前記緊締受片の突出方向は、一対のバンド片の対向配置方向に垂直な面方向から、前記湾曲部における湾曲方向に対して反対側に偏位していることを特徴とする電柱バンド。
【請求項３】
電柱の外周の直径方向に一対のバンド片を対向配置させて、その一対のバンド片相互を緊締ボルト，緊締ナットで連結して電柱に抱持固定する２片式の電柱バンドであって、
前記電柱の外周面に遊嵌するように湾曲して形成された湾曲部と、
前記湾曲部の両端から電柱外方向に突出した緊締受片と、
前記緊締受片に穿設され、前記緊締ボルトを挿通する透孔と、を有する一対のバンド片を備え、
前記湾曲部の頂部は、前記透孔間を縦断する方向の断面形状において、両端側よりも曲率が小さく，または直線状に形成され、
前記緊締受片の突出方向は、一対のバンド片の対向配置方向に垂直な面方向から、前記湾曲部における湾曲方向に対して反対側に偏位していることを特徴とする電柱バンド。
【考案の詳細な説明】
【技術分野】
【０００１】
本発明は、ケーブル等を電柱に取り付ける際に装柱される電柱バンドに係り、特に小径の鋼管柱に装柱される電柱バンドに関する。
【背景技術】
【０００２】
電柱には、電話回線やケーブルテレビ，有線放送等の様々な種類のケーブルが配設されている。そして、電柱によっては、１つの電柱に対して複数の会社がケーブルを配設している（あるいは、１つの会社が複数のケーブルを配設している）場合もある。このような場合には、有線電気設備令等や所有者との契約に基づいて、一方のケーブルから一定の距離を隔てて他方のケーブルを配設する必要がある。
【０００３】
図５は、電柱にケーブルが配設された状態の一例を示す概略図である。図５に示すように、電柱１には電柱バンド２が装柱され、その電柱バンド２により腕金３が支持される。この腕金３にブラケット４を介してケーブル５が配設される。このように、電柱１に対して腕金３やブラケット４等を介してケーブル５が配設され、他のケーブルとの距離が隔てられる。
【０００４】
従来の３片式の電柱バンド２ａの一例を図６（（ａ）平面図，（ｂ）側面図）に示す。図６に示すように、電柱バンド２ａは、電柱１の外周を抱持するように湾曲した略円弧状の補助バンド片６と、その補助バンド片６の尾端側に接続される一対のバンド片７と、を有する。前記バンド片７の先端側には緊締受片７ａが電柱１の外方向に突出している。また、前記補助バンド６の尾端側と前記バンド片７の尾端側には接続ボルト８を挿通する透孔６ａ，７ｂが穿設され、バンド片７の緊締受片７ａには緊締ボルト９を挿通する透孔７ｃが穿設されている。
【０００５】
次に、前記電柱バンド２ａを電柱１に装柱する際の手順を説明する。まず、前記補助バンド片６を電柱１の外周に配置し、補助バンド片６の透孔６ａとバンド片７の透孔７ｂとを一致させる。これら透孔６ａ，７ｂに接続ボルト８を挿通させ、該接続ボルト８の先端に接続ナット８ａを螺合して締め付け、補助バンド片６とバンド片７とを接続する。そして、一対のバンド片７（の緊締受片７ａ）の透孔７ｃ，７ｃに緊締ボルト９を挿通し、該緊締ボルト９の先端に緊締ナット９ａを螺合して締め付け、電柱バンド２ａを電柱１に抱持固定する。
【先行技術文献】
【特許文献】
【０００６】
【特許文献１】特開平１０−２８５７６９号公報（段落［０００７］〜［０００８］，第１図）
【考案の概要】
【考案が解決しようとする課題】
【０００７】
しかしながら、上記のような３片式の電柱バンド２ａには以下のような問題があった。通常、補助バンド片６は略円弧状に１８０度以上（半円以上）形成された形状であるため、電柱１の外周に配置させる際には、補助バンド片６の尾端間を電柱１の直径以上の間隔に拡開させる必要があった。また、電柱１の外周に補助バンド片６を配置させてから、補助バンド片６の尾端間を閉じて（例えば、ハンマー等で衝打して閉じて）、補助バンド片６をある程度電柱１の形状になじませる必要があった。
【０００８】
そのため、３片式の電柱バンド２ａを電柱１に装柱する際には、多くの労力と作業時間を必要としていた。さらに、電柱１に電柱バンド２ａを装柱する際には、梯子や高所作業車等での高所作業が伴うため、施工性の向上が要望されていた。
【０００９】
上記の課題を解決するために、２片式の電柱バンド２ｂを用いることが提案されている。図７（（ａ）平面図，（ｂ）側面図）は２片式の電柱バンド２ｂの一例を示す概略図である。図７に示すように、２片式の電柱バンド２ｂは、所要幅と所要厚さの圧延鋼材から成る一対のバンド片１０と、その一対のバンド片１０を連結する緊締ボルト１１，緊締ナット１１ａと、を有する。前記バンド片１０は、電柱１を抱持する径に湾曲した略半円弧状の円弧部１０ａと、円弧部１０ａの両端から電柱１外方向に突出した緊締受片１０ｂと、で形成される。また、前記円弧部１０ａには腕金等３を支持するための支持ボルト（図示省略）を挿通する透孔１０ｄが穿設され、緊締受片１０ｂには締付ボルト１１を挿通するための透孔１０ｃが穿設される。
【００１０】
上記のような２片式の電柱バンド２ｂを電柱１に装柱する際には、一対のバンド片１０の緊締受片１０ｂを対向させると共に、円弧部１０ａを電柱１の外周に配置させる。この状態で、一対の緊締受片１０ｂの透孔１０ｃ，１０ｃに締付ボルト１１を挿通させ、透孔１０ｃより突出する締付ボルト１１の先端に締付ナット１１ａを螺合して締め付け、電柱バンド２ｂを電柱１に抱持固定する。
【００１１】
しかしながら、上記のような２片式の電柱バンド２ｂは、電柱１に対して保持力が得られにくい，電柱１に対して適用径の範囲が狭い，という２点の問題があった。
【００１２】
すなわち、２片式の電柱バンド２ｂを相対させた状態での円弧部１０ａはほぼ真円に近い形状であるため、装柱する電柱バンド２ｂに対して電柱１の径が小さい場合、電柱１の外周に円弧部１０ａを配置すると、相対する緊締受片１０ｂ間の距離は短いものとなる。また、緊締受片１０ｂを緊締ボルト１１と緊締ナット１１ａとで締め付けた際、その締付力により緊締受片１０ｂは基端部側において先端側が互いに接近する方向に折曲される。
【００１３】
このように、相対する緊締受片１０ｂ間の距離が短い場合、前記締付力によって緊締受片１０ｂが折曲されると、その緊締受片１０ｂ同士が接触してしまう。そのため、緊締ナット１１ａをそれ以上締付けることができず、電柱１に対して電柱バンド２ｂは強い保持力を得ることができなかった。その結果、電柱１に対して適用径の大きな電柱バンド２を採用することができず、２片式の電柱バンド２ｂを用いる場合には、種々のサイズの電柱バンドを準備しておく必要があった。
【００１４】
また、コンクリート製の電柱１は外周の摩擦力が大きいため、電柱１に対して強い保持力を得られやすいが、鋼管製の電柱１は摩擦力が小さいため、強い保持力が得られにくい。そのため、鋼管製の電柱１の場合には、適用径に範囲の狭さも顕著となる。
【００１５】
さらに、電柱バンド２にワイヤ（支線やメッセンジャーワイヤ等）１７を支持する場合には、図８に示すように、緊締ボルト１１の相対する緊締受片１０ｂ間にシンブル１６を回転可能に環装する必要がある。しかしながら、相対する緊締受片１０ｂ間の距離が短い場合、緊締ボルト１１と緊締ナット１１ａとで緊締受片１０ｂを締付けると、相対する緊締受片１０ｂとシンブル１６とが接触してしまい、緊締ナット１１ａをそれ以上締付けることができなかった。そのため、シンブル１６を電柱バンド２ｂに設けた場合には、電柱１に対して保持力が得られにくい，適用径の範囲が狭い，という問題点がさらに顕著となる。また、相対する緊締受片１０ｂとシンブル１６とが接触し、相対する緊締受片１０ｂ間にシンブル１６が挟み込まれると、シンブル１６は回転不能となり、ワイヤ（支線やワイヤ等）１７を巻回することが困難となってしまっていた。
【００１６】
以上示したようなことから、電柱に装柱する作業を容易にすると共に、電柱に対して保持力が得られやすく、適用径の範囲が広い電柱バンドを提供することが解決課題となる。
【課題を解決するための手段】
【００１７】
本願考案における電柱バンドの一態様は、電柱の外周の直径方向に一対のバンド片を対向配置させて、その一対のバンド片相互を緊締ボルト，緊締ナットで連結して電柱に抱持固定する２片式の電柱バンドであって、前記電柱の外周面に遊嵌するように湾曲して形成された湾曲部と、前記湾曲部の両端から電柱外方向に突出した緊締受片と、前記緊締受片に穿設され、前記緊締ボルトを挿通する透孔と、を有する一対のバンド片を備え、前記湾曲部の頂部は、前記透孔間を縦断する方向の断面形状において、両端側よりも曲率が小さく，または直線状に形成されたことを特徴とする。
【００１８】
本考案における電柱バンドの別の態様は、電柱の外周の直径方向に一対のバンド片を対向配置させて、その一対のバンド片相互を緊締ボルト，緊締ナットで連結して電柱に抱持固定する２片式の電柱バンドであって、前記電柱の外周面に遊嵌するように湾曲して形成された湾曲部と、前記湾曲部の両端から電柱外方向に突出した緊締受片と、前記緊締受片に穿設され、前記緊締ボルトを挿通する透孔と、を有する一対のバンド片を備え、前記緊締受片の突出方向は、一対のバンド片の対向配置方向に垂直な面方向から、前記湾曲部における湾曲方向に対して反対側に偏位していることを特徴とする。
【００１９】
本考案における電柱バンドの別の態様は、電柱の外周の直径方向に一対のバンド片を対向配置させて、その一対のバンド片相互を緊締ボルト，緊締ナットで連結して電柱に抱持固定する２片式の電柱バンドであって、前記電柱の外周面に遊嵌するように湾曲して形成された湾曲部と、前記湾曲部の両端から電柱外方向に突出した緊締受片と、前記緊締受片に穿設され、前記緊締ボルトを挿通する透孔と、を有する一対のバンド片を備え、前記湾曲部の頂部は、前記透孔間を縦断する方向の断面形状において、両端側よりも曲率が小さく，または直線状に形成され、前記緊締受片の突出方向は、一対のバンド片の対向配置方向に垂直な面方向から、前記湾曲部における湾曲方向に対して反対側に偏位していることを特徴とする。
【考案の効果】
【００２０】
以上の説明で明らかなように、本考案によれば、電柱バンドを電柱に装柱する作業を容易にすると共に、電柱に対して保持力が得られやすく、適用径の範囲が広い電柱バンドを提供することが可能となる。
【図面の簡単な説明】
【００２１】
【図１】電柱に装柱した実施形態における電柱バンドの一例を示す概略図。
【図２】実施形態における電柱バンドの一例を示す構造図。
【図３】実施形態におけるバンド片の内側面の一例を示す平面図。
【図４】電柱バンドの荷重試験の様子を示す概略図。
【図５】電柱にケーブルが配設された状態の一例を示す概略図。
【図６】従来の３片式の電柱バンドの一例を示す概略図。
【図７】従来の２片式の電柱バンドの一例を示す概略図。
【図８】シンブルを設けた従来の２片式の電柱バンドの一例を示す概略図。
【考案を実施するための形態】
【００２２】
本考案における電柱バンドは、電柱に装柱する作業を容易にするために２片式の電柱バンドとし、電柱に対して保持力が得られやすく、適用径の範囲を広くするために形状を改良したものである。以下、図１〜図３に基づいて本実施形態における電柱バンドを説明する。
【００２３】
［実施形態］
図１において、符号１は所定区間毎に立設した電柱（例えば、鋼管から成る電柱）を示し、符号２はその電柱１に装柱される電柱バンドを示す。
【００２４】
図１，図２に示すように、本実施形態における電柱バンド２は、所要幅と所要厚さの圧延鋼材から成る一対のバンド片１２と、この一対のバンド片１２を連結して電柱１に緊締するための緊締ボルト１３，緊締ナット１３ａと、前記バンド片１２に腕金３を支持するための支持ボルト１４，支持ナット１４ａと、を有する。
【００２５】
そして、前記電柱バンド２に腕金３を支持する場合には、前記接続ボルト１４に腕金３が接続され、この腕金３における電柱１から間隔を隔てた位置にブラケット４が支持され、このブラケット４に支持された状態でケーブル５が配設される。
【００２６】
前記一対のバンド片１２は、電柱１の外周面に遊嵌するように湾曲して形成された湾曲部１２ａと、この湾曲部１２ａの両端から電柱１外方向に突出した緊締受片１２ｂと、で形成される。
【００２７】
図３のバンド片１２の内側面の平面図に示すように、前記湾曲部１２ａの頂部１５は、透孔１２ｃ間を縦断する方向の断面形状において、両端側よりも曲率が小さく，または直線状に形成されている。本実施形態では、図３に示すように、頂部１５が直線状に形成されているが、この頂部１５は両端側よりも曲率が小さく（曲げ半径が大きく），あるいは直線状に形成されていれば良く、バンド片１２の材質，厚さ等に応じて適宜設計される。また、本実施形態の湾曲部１２ａは、頂部１５からの距離毎に曲率がそれぞれ設定されているが、この曲率はバンド片１２の厚さや材質等によって適宜設計されるものとする。
【００２８】
前記緊締受片１２ｂには、緊締ボルト１３を挿通するための透孔１２ｃが穿設されている。そして、図３に示すように、緊締受片１２ｂの突出方向は、一対のバンド片１２の対向配置方向に垂直な面方向から、前記湾曲部１２ａにおける湾曲方向に対して反対側に偏位している。
【００２９】
すなわち、一対のバンド片１２を対向させた状態で、相対する緊締受片１２ｂ間の距離は基端部１２ｄ側と先端部１２ｅ側が等しいものではなく（すなわち、相対する緊締受片１２ｂは平行ではなく）、相対する緊締受片１２ｂ間の距離が基端部１２ｄ側よりも先端部１２ｅ側の方が拡張するように傾斜して形成される。
【００３０】
上記のような電柱バンド２を電柱１に装柱する際には、まず、湾曲部１２ａに穿設された透孔１２ｆに支持ボルト１４を挿通する。次に、一対のバンド片１２の緊締受片１２ｂを相対向させると共に、湾曲部１２ａを電柱１の外周に配置させる。この状態で、相対した一対の緊締受片１２ｂの透孔１２ｃ，１２ｃに緊締ボルト１３を挿通し、透孔１０ｃより突出する緊締ボルト１３の先端に緊締ナット１３ａを螺合して締め付け、電柱バンド２を電柱１に抱持固定する。
【００３１】
この時、本実施形態の電柱バンド２は、前記湾曲部１２ａの頂部１５が両端側よりも曲率が小さく，あるいは直線状に形成されていることにより、一対のバンド片１２を電柱１の外周に配置した状態では、この頂部１５が電柱１の外周面に接触する。この状態で緊締ボルト１３と緊締ナット１３ａとで緊締受片１２を締付けると、その締付力により緊締受片１２ｂは、基端部１２ｄ側において折曲し、先端部１２ｅ側が互いに接近する。その結果、湾曲部１２ａの両端側も電柱１方向に接近し、角部１２ｇが電柱１の外周面に接触する。緊締ボルト１３と緊締ナット１３ａをさらに締付けると、前記角部１２ｇが電柱１の外周面に圧接するため、電柱バンド２は強い保持力を得ることができる。
【００３２】
また、湾曲部１２ａの頂部１５が両端側よりも曲率が小さく，あるいは直線状に形成されていることにより、一対のバンド片１２を電柱１の外周に配置した状態では、この頂部１５が最初に電柱１の外周面に接触する。そのため、緊締受片１２ｂは従来の２片式の電柱バンド２ｂと比較して、互いに離れた場所に位置することとなる。その結果、緊締ボルト１３と緊締ナット１３ａとで緊締受片１２ｂを締め付けても相対する緊締受片１２ｂ同士が接触することを抑制することができる。
【００３３】
上記のように、従来の２片式の電柱バンド２ｂと比較して、本実施形態の電柱バンド２は緊締ボルト１３に緊締ナット１３ａをより強く螺合することができ、電柱１に対して電柱バンド２をより強く抱持固定することが可能となる。
【００３４】
また、前記緊締受片１２ｂが傾斜して形成されることにより、一対のバンド片１２を電柱１の外周に配置した際には、従来の２片式のバンド片２ｂと比較して、一対の緊締受片１２ｂの先端部１２ｅは互いに離れた場所に位置する。そのため、緊締ボルト１３と緊締ナット１３ａにより、相対する一対の緊締受片１２ｂを強く締め付け、相対する緊締受片１２ｂが折曲しても、緊締受片１２ｂ同士が接触することを抑制することが可能となる。
【００３５】
その結果、従来の２片式の電柱バンド２ｂと比較して、本実施形態の電柱バンド２は緊締ボルト１３に緊締ナット１３ａをより強く螺合することができ、電柱１に対して電柱バンド２をより強く抱持固定することが可能となる。
【００３６】
また、図１に示す符号１６は緊締ボルト１３の相対する緊締受片１２ｂ間に回転可能に環装されるシンブルを示し、符号１７はこのシンブル１６を介して電柱バンド２に支持されるワイヤ（支線やメッセンジャワイヤ等）を示す。電柱バンド２にワイヤ１７を支持する際に、前記ワイヤ１７を緊締ボルト１３に直接巻回すると、緊締ボルト１３は小径であるため応力が集中し、破断してしまう恐れがある。そのため、電柱バンド２にワイヤ１７を支持する際には、シンブル１６を緊締ボルト１３に環装してシンブル１６にワイヤ１７を巻回し、応力の集中を緩和している。
【００３７】
本実施形態は、電柱バンド２が電柱１の外周に配置された状態における相対する緊締受片１２ｂ間の距離が大きいため、上記のように電柱バンド２にシンブル１６を設けても、緊締受片１２ｂとシンブル１６とが接触することを抑制することができる。そのため、緊締ボルト１３と緊締ナット１３ａとで緊締受片１２ｂを強く締付けることが可能となり、電柱１に対して強い保持力を得ることができる。また、シンブル１６が緊締受片１２ａに挟まれて回転不能となることを抑制し、ワイヤ１７を巻回することが困難となることを抑制することが可能となる。
【００３８】
本実施形態における電柱バンド（量産試作品）を作成し、荷重試験を行った。この荷重試験では、図４の荷重試験の概略図に示すように、電柱１を模擬した柱部材１８と、緊締ボルト１３に備えられたシンブル（図示省略）に電柱１外方向の外力を与える引張部材１９と、を有する試験治具２０が用いられる。この柱部材１８に電柱バンド２を装柱し、引張部材１９を電柱バンド２のシンブルに支持させる。そして、前記柱部材１８を固定し、引張部材１９を電柱１外方向に向かって引張することにより、電柱バンド２に対して荷重を与える。荷重試験では、３３．０ｋＮを基準荷重として、その基準荷重を与えた際の電柱バンド２の状態を確認する。その後、電柱バンド２が破壊するまで荷重を増加し、電柱バンド２が破壊し始める荷重（以下、初期破壊荷重と称する）と、完全に破壊する荷重（以下、最大破壊荷重と称する）を読み取る。
【００３９】
なお、この荷重試験では、緊締ボルト１３と緊締ナット１３ａとの締め付けトルクを６００ｋｇｆ・ｃｍとした。この荷重試験は、全部で３回（試験Ｎｏ．Ａ，Ｂ，Ｃ）行った。柱部材１８は、試験Ｎｏ．ＡではΦ８５，試験Ｎｏ．ＢではΦ９５，試験Ｎｏ．ＣではΦ１０３の部材が用いられる。また、取付完了後各部主要寸法を参考までに測定した。下記表１に各部主要寸法および荷重試験の結果を示す。
【００４０】
【表１】
0003158901.tif 000003
【００４１】
表１に示す通り、本実施形態の電柱バンド２は、基準荷重である３３．０ｋＮでは、試験Ｎｏ．Ａ，Ｂ，Ｃ共、特に亀裂や破断などが見られなかった。そして、荷重を除々に増加させていき、７万ｋＮ前後で試験Ｎｏ．Ａ，Ｂ，Ｃ共に初期破壊が生じた。初期破壊は試験Ｎｏ．Ａ，Ｂ，Ｃ共に上部基端部１２ｄの亀裂であった。さらに荷重を増加させると、その基端部１２ｄの亀裂の拡大と共に、下部緊締ボルト１３の変形や、透孔１２ｃの変形等が生じ、最終的には緊締ボルト１３の破断や、透孔１２ｃの抜けなどの破断が生じた。
【００４２】
以上のように、この荷重試験では基準荷重において電柱バンド２の破壊は見られないため、本実施形態の電柱バンド２は強度に問題ないことが見て取れる。
【００４３】
本実施形態の電柱バンド２は、従来の３片式の電柱バンド２ａと比較して、補助バンド片６を電柱１の外周に配置する際に補助バンド片６の尾端間を拡開する作業や閉じる作業が不要となり、電柱１に装柱する際の施工性の向上を図ることが可能となる。また、本実施形態の電柱バンド２は２片式であるため、３片式の電柱バンド２ａと比較して、部品点数や重量を低減することでき、製造コストの削減を図ることが可能となる。
【００４４】
また、従来の２片式の電柱バンド２ｂと比較して、本実施形態の電柱バンド２は電柱１に対して強い保持力を得ることができる。また、電柱１が小径でも強い保持力を得ることができるため、電柱１に対して適用径の範囲が広い。そのため、準備しておく適用径のサイズの種類の低減を図ることが可能となる。さらに、シンブル１６を電柱バンド２設けた場合でも、強い保持力を得ることが可能となる。
【００４５】
以上、本考案において、記載された具体例に対してのみ詳細に説明したが、本考案の技術思想の範囲で多彩な変形および修正が可能であることは、当業者にとって明白なことであり、このような変形および修正が実用新案請求の範囲に属することは当然のことである。
【符号の説明】
【００４６】
１…電柱
２…電柱バンド
１２…バンド片
１２ａ…湾曲部
１２ｂ…緊締受片
１２ｃ…透孔
１２ｄ…基端部
１２ｅ…先端部
１３…緊締ボルト
１３ａ…緊締ナット
【図１】
0003158901.tif 000004
【図２】
0003158901.tif 000005
【図３】
0003158901.tif 000006
【図４】
0003158901.tif 000007
【図５】
0003158901.tif 000008
【図６】
0003158901.tif 000009
【図７】
0003158901.tif 000010
【図８】
0003158901.tif 000011